(57)【要約】【課題】  冬場等の低外気温時に空気流路内に着霜が生じた場合、効率的に、且つ短時間で除霜運転を行える全熱交換器を提供することを目的とする。【解決手段】  全熱交換器１は、筐体２内を第一区画板３と、第二区画板４とで仕切り、これらの交差部に熱交換エレメント５を設けている。又、前記筐体２の一側には、屋外側給気ダクト９と、屋内側排出ダクト７とが延出され、他側には屋外側排出ダクト８と、屋内側給気ダクト１０と延出されており、前記区画板３には、回動自在に軸支されたダンパ１１が設けられている。除霜運転時、前記ダンパ１１が回動し、排気経路と給気経路とを連通させるようになっている。これにより室内の暖気が前記屋内側排出ダクト７を介して排気経路から給気経路へと流入して除霜運転が行われ、付着した霜を短時間で除去できるようになっている。【選択図】図３
2005331193.tif 000002
【特許請求の範囲】
【請求項１】
筐体内を区画板により区画して給気経路と排気経路とを設け、これらの交差部に給気と排気との熱交換を行う熱交換エレメントを設ける一方、前記給気経路と前記排気経路とに送風ファンを設けて屋内及び屋外に連通させてなる換気装置において、
前記熱交換エレメントの上流側となる区画板に開口部を設け、同開口部に、前記給気経路と前記排気経路とを連通させる開度調整可能なダンパを設けてなることを特徴とする換気装置。
【請求項２】
前記ダンパは、前記排気経路と前記給気経路とをほぼ連通させる全開状態か、あるいは前記排気経路と前記給気経路とを流れる空気を混合させる半開状態かに設定されてなることを特徴とする請求項１に記載の換気装置。
【発明の詳細な説明】
【技術分野】
【０００１】
本発明は、換気装置としての全熱交換器に関わり、より詳細には除霜運転の効率を向上させる構成に関する。
【背景技術】
【０００２】
従来の全熱交換器は、図４で示すように、方形状の筐体２内を区画板３及び４で区画するとともに、中央部に熱交換エレメント５を設け、前記筐体２の一側に屋外側給気ダクト９と屋内側排出ダクト７とを延出する一方、他側に、屋外側排出ダクト８と屋内側給気ダクト１０とを延出している。又、前記屋外側排出ダクト８と前記屋内側給気ダクト１０とに臨んで前記筐体２の側部に、ファンモータ６ａにより駆動される送風ファン６を夫々設けている（例えば特許文献１参照）。
【０００３】
前記屋外側給気ダクト９と前記熱交換エレメント５と前記屋内側給気ダクト１０とを結ぶ経路には、給気流路が形成され、前記屋内側排出ダクト７と前記熱交換エレメント５と前記屋外側排出ダクト８とを結ぶ経路には排気流路が形成されており、前記給気流路を通る空気と、前記排気流路を通る空気とは前記熱交換エレメント５で熱交換を行いながら屋内と屋外との換気運転を行うようになっている。
【０００４】
冬場等の低外気温時あるいは寒冷地で上記したような換気運転を行うと、前記熱交換エレメント内あるいは前記給気流路内に着霜が生じ、除霜運転が必要となる、除霜運転は給気流路に設けられた送風ファンを停止し、排気流路に設けられた送風ファンを高速で回転させ、屋内の暖気を前記排気流路に流すようにして行われるが、着霜量が多いのは給気流路である場合が多いため、除霜運転の効率が低いという問題を抱えていた。
【０００５】
【特許文献１】特開昭６１−１０７０２０号
【発明の開示】
【発明が解決しようとする課題】
【０００６】
本発明は、上記問題点に鑑み、冬場等の低外気温時に空気流路内に着霜が生じた場合、効率的に除霜運転を行える全熱交換器を提供することを目的とする。
【課題を解決するための手段】
【０００７】
本発明は、上記課題を解決するため、筐体内を区画板により区画して給気経路と排気経路とを設け、これらの交差部に給気と排気との熱交換を行う熱交換エレメントを設ける一方、前記給気経路と前記排気経路とに送風ファンを設けて屋内及び屋外に連通させてなる換気装置において、前記熱交換エレメントの上流側となる区画板に開口部を設け、同開口部に、前記給気経路と前記排気経路とを連通させる開度調整可能なダンパを設けた構成となっている。又、前記ダンパは、前記排気経路と前記給気経路とをほぼ連通させる全開状態か、あるいは前記排気経路と前記給気経路とを流れる空気を混合させる半開状態かに設定されてなる構成となっている。
【発明の効果】
【０００８】
本発明によると、方形状の筐体内を、第一区画板と、第二区画板とにより仕切り、これらの交差部に熱交換エレメントを設け、前記筐体の一側に、屋外側給気ダクトと、屋内側排出ダクトとを相対向するようにＬ字状に延出して夫々設け、他側に、屋外側排出ダクトと、屋内側給気ダクトとを相対向するようにＬ字状に延出して夫々設け、前記筐体内の側部に、前記屋外側排出ダクトと、前記屋内側給気ダクトとに臨むように、ファンモータと、同ファンモータに駆動される送風ファンとを設け、前記熱交換エレメントの上流側となる前記第一区画板の部位に、回動自在に軸支されたダンパを設けて全熱交換器を構成することにより、冬場等の低外気温時あるいは寒冷地での換気運転の際、給気経路あるいは前記熱交換エレメントに着霜が発生した場合には、前記第一区画板に設けられた前記ダンパを回動させて排気経路と給気経路とを連通させることにより、屋内側排出口から吸込まれた室内の暖気が排気経路から給気経路へと流入し、更に前記熱交換エレメントを通過して除霜運転を行うことにより、付着した霜が短時間で除去することができ、換気運転に早期に復帰することができるようになっている。
【発明を実施するための最良の形態】
【０００９】
以下、本発明の実施の形態を、添付図面に基づいた実施例として詳細に説明する。
【実施例１】
【００１０】
図１は本発明による全熱交換器を示す断面図であり、図２は熱交換エレメントを示す斜視図である。又、図３は除霜運転時の状態を示す断面図である。
【００１１】
本発明による全熱交換器１は、図１で示すように、屋外壁５０と、屋内壁６０との間に設けられ、新鮮な屋外の空気を屋内に給気するとともに、屋内の空気を屋外に排出し、又、これら給気と排気とを熱交換して、屋内の温度変動を最小限に抑えるようにしている。
【００１２】
前記全熱交換器１は、従来例と同様に、方形状の筐体２と、同筐体２内を長手方向に沿って区画する第一区画板３と、短手方向に沿って区画する区画する第二区画板４とにより仕切り、これら第一区画板３と第二区画板４との交差部に熱交換エレメント５を設けている。又、前記筐体２の一側には、屋外壁５０に屋外側給気口９ａを開口した屋外側給気ダクト９と、屋内壁６０に屋内側排出口７ａを開口した屋内側排出ダクト７とが相対向するようにＬ字状に延出されて夫々設けられており、前記筐体２の他側には、屋外壁に屋外側排出口８ａを開口した屋外側排出ダクト８と、屋内壁６０に屋内側給気口１０ａを開口した屋内側給気ダクト１０とが相対向するようにＬ字状に延出されて夫々設けられている。
【００１３】
又、前記筐体内の側部には、前記屋外側排出ダクト８と、前記屋内側給気ダクト１０とに臨むように、ファンモータ６ａと、同ファンモータ６ａとに駆動される送風ファン６とが設けられている。同送風ファン６は円筒状のカバーと、同カバー内に回動自在に軸支された円筒状のブレードファンとからなるシロッコファンからなり、前記熱交換エレメント５を通過してきた空気を前記屋外側排出ダクト８を介して屋外に排出する一方、前記屋内側給気ダクト１０を介して屋外からの空気を屋内に供給するようになっている。
【００１４】
前記熱交換エレメント５は、図２で示すように、複数枚の仕切板５ａと、鋸歯状に形成された通気板５ｂ及び５ｃとを多段に積層して形成されており、前記仕切板５ａは伝熱性と透湿性とを有する素材により平板状に形成され、前記通気板５ｂと前記通気板５ｃとは一段枚に直交するように設けられている。前記通気板５ｂを通過する空気は矢印で示す給気通路４０を形成する一方、これに直交する前記通気板５ｃを通過する空気は矢印で示す排気通路４１を形成するようになっており、例えば給気通路４０を通過する空気が冷気であり、排気通路４１を通過する空気が暖気であるとすると、前記仕切板５ａを介して暖気の熱が冷気に伝熱され、給気通路４０を通過する空気が加温されるとともに、湿度も上がるようになっている。
【００１５】
又、前記屋外側給気ダクト９と、前記屋内側排出ダクト７に臨み、前記熱交換エレメント５の上流側となる前記区画板３には開口部が設けられ、同開口部には、図１で示すように、軸１１ａにより回動自在に軸支され、これを開閉する開度調整可能なダンパ１１が設けられている。
【００１６】
次に、動作について説明する。前記送風ファン６が起動されると、図１の矢印で示すように、前記屋外側給気口９ａから屋外の空気が給気として吸込まれ、前記屋外側給気ダクト９を介して前記熱交換エレメント５に流入する。前記屋内側排出口７ａから吸込まれた屋内の空気は排気として前記屋内側排出口ダクト７を介して前記熱交換エレメント５に流入し、同熱交換エレメント５の前記通気板５ｂを給気が、前記通気板５ｃを排気が直交するように交差して通過することにより、これら給気と排気とは前記仕切板５ａを介して熱交換と湿気の交換を行い、給気は前記屋内側給気ダクト１０を介して前記屋内側給気口１０ａから屋内に吹出され、排気は前記屋外側排出ダクト８を介して前記屋外側排出口８ａから外部に放出されるようになっている。
【００１７】
冬場等の低外気温時あるいは寒冷地で上記した換気運転を行うと、前記屋外側給気口９ａから冷却された空気が吸込まれ、給気経路あるいは前記熱交換エレメント５に着霜が発生する。着霜が発生すると、前記熱交換エレメント５での給気と排気との熱交換に支障を生じるので除霜運転が行われる。
【００１８】
除霜運転時、前記第一区画板３に設けられた前記ダンパ１１が、図３で示すように、前記軸１１ａを中心として前記給気経路側に回動し、同開口部を開放して排気経路と給気経路とを連通させるとともに、給気経路を閉鎖するようになっている。これにより前記屋内側排出口７ａから吸込まれた室内の暖気が前記屋内側排出ダクト７を介して排気経路から給気経路へと流入し、更に前記熱交換エレメント５を通過するようになっており、又、前記屋外側給気ダクト９を介して流入してきた外気を遮蔽するようになっている。着霜を生じた給気経路及び前記熱交換エレメント５を室内から送出された暖気が通過することにより除霜運転が効率的に行われ、付着した霜が短時間で除去することができるようになっている。除霜運転が終了すると前記ダンパ１１が再び回動し、元の状態に復帰することにより換気運転が再開されるようになっている。
【００１９】
又、除霜運転の際、他の実施例として前記ダンパ１１を、図３の破線で示すように、半開きの状態に設定してもよい。これにより、排出経路の暖気と給気経路との冷気とが混合して前記熱交換エレメント５を通過し、換気運転を中断することなく除霜運転を行えるようになっている。
【図面の簡単な説明】
【００２０】
【図１】本発明による全熱交換器を示す断面図である。
【図２】熱交換エレメントを示す斜視図である。
【図３】除霜運転時の状態を示す断面図である。
【図４】従来の全熱交換器を示す断面図である。
【符号の説明】
【００２１】
１  全熱交換器
２  筐体
３  第一区画板
４  第二区画板
５  熱交換エレメント
５ａ  仕切板
５ｂ、５ｃ  通気板
６  送風ファン
６ａ  ファンモータ
７  屋内側排出ダクト
７ａ  屋内側排出口
８  屋外側排出ダクト
８ａ  屋外側排出口
９  屋外側給気ダクト
９ａ  屋外側給気口
１０  屋内側給気ダクト
１０ａ  屋内側給気口
１１  ダンパ
１１ａ  軸
４０  給気通路
４１  排気通路
５０  屋外壁
６０  屋内壁
【図１】
2005331193.tif 000003
【図２】
2005331193.tif 000004
【図３】
2005331193.tif 000005
【図４】
2005331193.tif 000006